(57)【要約】本発明に係る可視口腔スケーラーは、口腔スケーラーと、口腔観察装置と、接続機構とを備える。口腔スケーラーは、接続機構を介して口腔観察装置に取り外し可能に接続されており、口腔観察装置の観察システムの作用下で、直視状態で口腔スケーラーにより歯又は舌体を掻爬して清掃するとともに、清掃効果をリアルタイムで観察することができ、清掃過程の画像および映像の記録を行うことができる。また、口腔観察装置には、噴水器が設けられてもよく、噴水器は、口腔スケーラーと併せて使用することにより、清掃によって除去された歯石、プラーク、舌苔等の汚物を適時にきれいに洗い落すことができ、使用過程がより快適で便利であり、効率が高い。【選択図】図１
2020536605.tif 000002
【特許請求の範囲】
【請求項１】
口腔スケーラー（１００）と、口腔観察装置（２００）と、接続機構（３００）とを備える可視口腔スケーラー（９００）であって、
Ａ、前記口腔スケーラー（１００）は、スクレーパー（１１）と、着脱機構（１２）と、ブラケット（１３）とを備え、前記スクレーパー（１１）は、前記ブラケット（１３）の先端に設けられており、前記口腔スケーラー（１００）を口腔観察装置（２００）に取り付け又は前記口腔スケーラー（１００）を前記口腔観察装置（２００）から取り外すための着脱機構（１２）は、前記ブラケット（１３）に設けられており、
Ｂ、前記口腔観察装置（２００）は、ハウジング（２１）と、電源システム（２２）と、照明システム（２３）と、観察システム（２４）と、回路システム（２５）と、スイッチ（２６）とを備え、前記照明システム（２３）、前記観察システム（２４）、前記回路システム（２５）及び前記電源システム（２２）は、前記ハウジング（２１）内に取り付けられており、前記スイッチ（２６）は、前記ハウジング（２１）に取り付けられており、前記照明システム（２３）と前記観察システム（２４）と前記電源システム（２２）とスイッチ（２６）とは、前記回路システム（２５）を介して接続されており、
Ｃ、前記接続機構（３００）は、前記着脱機構（１２）を備え、前記口腔スケーラー（１００）は、前記接続機構（３００）を介して前記口腔観察装置（２００）に取り付けられていることを特徴とする可視口腔スケーラー。
【請求項２】
前記スクレーパー（１１）は、前記口腔観察装置（２００）の観察システム（２４）の視野内にあることを特徴とする請求項１に記載の可視口腔スケーラー。
【請求項３】
前記口腔スケーラー（１００）のスクレーパー（１１）は、人体の口腔の要件に合う湾曲部（１１−４）を有することを特徴とする請求項１に記載の可視口腔スケーラー。
【請求項４】
前記着脱機構（１２）は、凹凸嵌合接続機構の位置決めブロック又は位置決めスロット、ロックノブ接続機構のロックボルト又はロックキャッチ、締まり嵌め接続機構のスリーブ又は位置決めロッド、或いは回転調節接続機構のナット又はスクリューであることを特徴とする請求項１に記載の可視口腔スケーラー。
【請求項５】
前記着脱機構（１２）は、前記口腔観察装置（２００）に接続するためのＴ字形位置決めブロック（１２−１）であることを特徴とする請求項４に記載の可視口腔スケーラー。
【請求項６】
前記接続機構（３００）は、取り外し可能な機械式接続機構であり、前記口腔スケーラー（１００）又は前記口腔観察装置（２００）に配置可能な独立の部材であるか、或いは、前記取り外し可能な機械式接続機構の一部を前記口腔スケーラー（１００）に配置し、他の部分を前記口腔観察装置（２００）に配置することによって形成される組み合わせ型機械式接続機構であることを特徴とする請求項１に記載の可視口腔スケーラー。
【請求項７】
前記機械式接続機構は、凹凸嵌合接続、スライドスロット接続、ピン接続、キー接続、ねじ込み接続、ねじ接続、バックル接続、フック接続又は締まり嵌め接続を含むことを特徴とする請求項６に記載の可視口腔スケーラー。
【請求項８】
前記口腔観察装置（２００）のハウジング（２１）には、位置決めスロット（２１−１）及び係止ブロック（２１−２）が設けられており、
前記口腔スケーラー（１００）の位置決めブロック（１２−１）は、前記位置決めスロット（２１−１）内に嵌め込み可能であり、
前記係止ブロック（２１−２）は、前記口腔スケーラー（１００）のブラケット（１３）の後方へのスライドを阻止することが可能であり、
前記位置決めブロック（１２−１）と前記位置決めスロット（２１−１）と前記係止ブロック（２１−２）との連係作用は、前記接続機構（３００）を構成することを特徴とする請求項１に記載の可視口腔スケーラー。
【請求項９】
前記観察システム（２４）は、カメラ（２４−１−１）と、データ処理及び出力システム（２４−１−２）と、表示装置（２４−１−３）と、回路システム（２５）と、電源システム（２２）とを備える撮像システム（２４−１）であることを特徴とする請求項１に記載の可視口腔スケーラー。
【請求項１０】
前記撮像システム（２４−１）のデータ処理及び出力システム（２４−１−２）によって出力される映像データは、有線接続方式又は無線接続方式で表示装置（２４−１−３）に表示することが可能であり、
前記表示装置（２４−１−３）は、スマートフォン（２４−１−３１）、コンピュータ（２４−１−３２）、液晶表示装置（２４−１−３３）、又はテレビ（２４−１−３４）を含むことを特徴とする請求項９に記載の可視口腔スケーラー。
【請求項１１】
前記照明システム（２３）は、前記カメラ（２４−１−１）の近傍に設けられていることを特徴とする請求項９に記載の可視口腔スケーラー。
【請求項１２】
前記口腔観察装置（２００）は、防水設計を採用していることを特徴とする請求項１に記載の可視口腔スケーラー。
【請求項１３】
前記口腔観察装置（２００）には、口腔に水を噴射して清掃可能な噴水器（４０４）がさらに設けられており、
前記噴水器（４０４）は、スプレーヘッド（４０４−１）と、水タンク（４０４−２）と、水管（４０４−３）と、噴水スイッチ（４０４−４）と、加圧器（４０４−５）とを備え、
前記水タンク（４０４−２）及び前記加圧器（４０４−５）は、前記口腔観察装置（２００）のハウジング（２１）に取り付けられており、
前記スプレーヘッド（１１）は、前記口腔観察装置（２００）の先端（２００−１）の観察システム（２４）の近傍に取り付けられていることを特徴とする請求項１に記載の可視口腔スケーラー。
【請求項１４】
前記加圧器（４０４−５）は、電動加圧器（４０４−５１）であることを特徴とする請求項１３に記載の可視口腔スケーラー。
【請求項１５】
前記電動加圧器（４０４−５１）は、電動空圧器（４０４−５１−１）又は電動水圧器（４０４−５１−２）であることを特徴とする請求項１４に記載の可視口腔スケーラー。
【請求項１６】
前記電動水圧器（４０４−５１−２）は、水中ポンプ（４０４−５１−２１）、又は吸水ポンプ（４０４−５１−２２）であることを特徴とする請求項１４に記載の可視口腔スケーラー。
【請求項１７】
前記噴水器（４０４）のスプレーヘッド（４０４−１）は、前記口腔観察装置（２００）の先端（２００−１）のハウジング（２１）に内蔵可能であることを特徴とする請求項１３に記載の可視口腔スケーラー。
【請求項１８】
前記噴水器（４０４）は、前記口腔スケーラー（１００）と併せて使用可能であることを特徴とする請求項１３に記載の可視口腔スケーラー。
【請求項１９】
前記噴水器（４０４）から噴射される水ジェットの方向は、前記口腔スケーラー（１００）のスクレーパー（１１）の方向とほぼ一致することを特徴とする請求項１８に記載の可視口腔スケーラー。
【発明の詳細な説明】
【技術分野】
【０００１】
本発明は、口腔清掃用器具に関し、特に歯、歯間及び口腔を清掃するための可視口腔スケーラーに関する。
【背景技術】
【０００２】
長時間にわたって歯をきれいに清掃せず、又は長期間の喫煙、茶飲み、飲酒をする場合、歯面に歯石、プラーク、色素沈着などの歯の問題が非常に発生し易いとともに、舌苔の肥厚も引き起こし易い。現在、歯石、プラーク、色素沈着、舌苔等を除去するには、専門口腔病院で歯のクリーニングを行うのが通常の手段である。
【０００３】
現在、病院や歯科クリニックでの歯のクリーニングプロセスにおいて、歯石、プラーク、色素沈着を除去するには、高速回転又は振動するスケーラーの作動ヘッドを口腔内に挿入し、作動ヘッドの摩擦又は振動作用下で、プラークを落し、歯面の汚物を潰し、歯石、プラーク、色素沈着の清掃という目的を達成する方法が一般的に用いられる。
【０００４】
作動ヘッドを口腔内に挿入する必要があるため、口腔内が極めて暗く、口腔内の状況を明瞭に見ることが非常に困難であることから、従来技術では、一般的に、患者の口腔内の歯石、プラーク、色素沈着、舌苔などを清掃するには、歯医者が歯科クリニック内で専用機器により、歯科治療作業台又は歯科治療椅子を使用して行わなければならない。
【０００５】
患者は、自ら家にいる場合、従来技術の口腔清掃機器により自ら自分の口腔内の歯石、プラーク、色素沈着などを清掃することが困難である。現在、通常に用いられる舌苔清掃器、様々な歯ブラシ又は噴水器により歯、舌背等を清掃する際に、これらの清掃操作は、口腔内が暗く、又は清掃部分が目立たず、観察しにくいので、患者は、感覚でしか操作できず、通常の場合、清掃を必要とする部位を清掃できず、清掃を必要としない部位がかえって絶えず繰り返して清掃されることになり、これによって、歯又は口腔内の軟部組織の過度損傷が発生し、特に高速回転又は振動する器具により清掃する場合、例えば高速研磨ヘッド、超音波研磨ヘッド、歯科用バー等の器具により患者が自ら自分の口腔を清掃する場合、作動ヘッドが一旦作動部位からずれると、予想外の傷害が極めて発生しやすい。
【０００６】
従来技術のこれらの欠点を克服するために、患者が自ら家で携帯電話の表示画面を利用することで可視状態で歯又は舌苔などに対して相応的に定点清掃を行うことができる器具を開発する必要がある。
【発明の概要】
【０００７】
本発明に係る可視口腔スケーラーは、可視状態で専用清掃器具により歯及び舌苔を清掃することで、歯石、プラーク、色素沈着、舌苔肥厚等の口腔問題を効果的に解決し、前記口腔観察装置２００により清掃過程及び清掃効果を直接に観察することができる。
【０００８】
本発明は、口腔スケーラー１００と、口腔観察装置２００と、接続機構３００とを備える可視口腔スケーラー９００であって、
Ａ、前記口腔スケーラー１００は、スクレーパー１１と、着脱機構１２と、ブラケット１３とを備え、前記スクレーパー１１は、前記ブラケット１３の先端に設けられており、前記口腔スケーラー１００を口腔観察装置２００に取り付け、又は前記口腔スケーラー１００を前記口腔観察装置２００から取り外すための着脱機構１２は、前記ブラケット１３に設けられており、
Ｂ、前記口腔観察装置２００は、ハウジング２１と、電源システム２２と、照明システム２３と、観察システム２４と、回路システム２５と、スイッチ２６とを備え、前記照明システム２３、前記観察システム２４、前記回路システム２５及び前記電源システム２２は、前記ハウジング２１内に取り付けられており、前記スイッチ２６は、前記ハウジング２１に取り付けられており、前記照明システム２３と、前記観察システム２４と、前記電源システム２２と、スイッチ２６とは、前記回路システム２５を介して接続されており、
Ｃ、前記接続機構３００は、前記着脱機構１２を備え、前記口腔スケーラー１００は、前記接続機構３００を介して前記口腔観察装置２００に取り付けられていることを特徴とする可視口腔スケーラーである。
【０００９】
使用時に、前記口腔スケーラー１００を、前記接続機構３００を介して前記口腔観察装置２００に取り付け、前記口腔観察装置２００の照明システム２３及び観察システム２４を介して、直視状態で前記口腔スケーラー１００により歯面の歯石、プラーク又は色素沈着を清掃することができ、前記口腔スケーラー１００により舌背における舌苔を除去することもでき、また、前記口腔観察装置２００を介して清掃過程及び清掃効果をリアルタイムで観察することができる。
【００１０】
前記スクレーパー１１は、前記口腔観察装置２００の観察システム２４の視野内にあることにより、操作過程において、前記スクレーパー１１の作動位置が明瞭に見られることを確保し、予想外の傷害を効果的に回避することができる。
【００１１】
前記口腔スケーラー１００のスクレーパー１１は、人体の口腔の要件に合う湾曲部１１−４を有することにより、歯又は舌体の清掃をより容易に実現する。
【００１２】
前記着脱機構１２は、凹凸嵌合接続機構の位置決めブロック又は位置決めスロット、ロックノブ接続機構のロックボルト又はロックキャッチ、締まり嵌め接続機構のスリーブ又は位置決めロッド、或いは回転調節接続機構のナット又はスクリューである。ここでは、出願人は、上記の幾つかの取り外し可能な接続方式のみを挙げたが、当業者は、本願の保護範囲から逸脱することなく、従来技術と組み合わせて、実際の必要に応じて異なる接続方式を設計することができる。
【００１３】
前記着脱機構１２は、前記口腔観察装置２００に接続するためのＴ字形位置決めブロック１２−１である。
【００１４】
前記接続機構３００は、取り外し可能な機械式接続機構であり、前記口腔スケーラー１００又は前記口腔観察装置２００に配置可能な独立の部材であってもく、或いは、前記取り外し可能な機械式接続機構の一部を前記口腔スケーラー１００に配置し、他の部分を前記口腔観察装置２００に配置することによって形成される組み合わせ型機械式接続機構であってもよい。取り外し可能な接続方式により、前記口腔スケーラー１００の交換、清掃及び保管を極めて容易にすることができる。
【００１５】
前記機械式接続機構は、凹凸嵌合接続、スライドスロット接続、ピン接続、キー接続、ねじ込み接続、ねじ接続、バックル接続、フック接続又は締まり嵌め接続を含む。ここでは、出願人は、上記の幾つかの接続方式のみを挙げたが、当業者は、本願の保護範囲から逸脱することなく、従来技術と組み合わせて、実際の必要に応じて異なる接続方式を設計することができる。
【００１６】
前記口腔観察装置２００のハウジング２１には、位置決めスロット２１−１及び係止ブロック２１−２が設けられており、前記口腔スケーラー１００の位置決めブロック１２−１は、前記位置決めスロット２１−１内に嵌め込み可能であり、前記係止ブロック２１−２は、前記口腔スケーラー１００のブラケット１３の後方へのスライドを阻止することが可能であり、前記位置決めブロック１２−１と、前記位置決めスロット２１−１と、前記係止ブロック２１−２との連係作用は、前記接続機構３００を構成する。
【００１７】
前記観察システム２４は、カメラ２４−１−１と、データ処理及び出力システム２４−１−２と、表示装置２４−１−３と、回路システム２５と、電源システム２２とを備える撮像システム２４−１である。
【００１８】
前記撮像システム２４−１のデータ処理及び出力システム２４−１−２によって出力される映像データは、有線接続方式又は無線接続方式で表示装置２４−１−３に表示することが可能であり、前記表示装置２４−１−３は、スマートフォン２４−１−３１、コンピュータ２４−１−３２、液晶表示装置２４−１−３３、又はテレビ２４−１−３４を含む。
【００１９】
前記照明システム２３は、前記カメラ２４−１−１の近傍に設けられている。照明を向上させるために、照明の輝度を調整するための追加のＬＥＤライトを前記口腔観察装置２００のハウジング２１に設けてもよい。
【００２０】
前記口腔観察装置２００は、防水設計を採用している。防水設計によって、操作及び洗浄をより容易にする。
【００２１】
前記口腔観察装置２００には、口腔に水を噴射して清掃可能な噴水器４０４がさらに設けられており、前記噴水器４０４は、スプレーヘッド４０４−１と、水タンク４０４−２と、水管４０４−３と、噴水スイッチ４０４−４と、加圧器４０４−５とを備え、前記水タンク４０４−２及び前記加圧器４０４−５は、前記口腔観察装置２００のハウジング２１に取り付けられており、前記スプレーヘッド１１は、前記口腔観察装置２００の先端２００−１の観察システム２４の近傍に取り付けられている。前記口腔観察装置２００に前記噴水器４０４が取り付けられている場合、前記口腔スケーラー１００により歯又は舌体を清掃する過程において、前記噴水器４０４により作動部位へ水を噴射して洗浄し、掻爬された歯石、プラーク、舌苔汚物などを適時に洗い落すことができ、清掃過程がより快適で便利になる。
【００２２】
前記加圧器４０４−５は、電動加圧器４０４−５１である。
【００２３】
前記電動加圧器４０４−５１は、電動空圧器４０４−５１−１又は電動水圧器４０４−５１−２である。
【００２４】
前記電動水圧器４０４−５１−２は、水中ポンプ４０４−５１−２１又は吸水ポンプ４０４−５１−２２である。
【００２５】
前記噴水器４０４のスプレーヘッド４０４−１は、前記口腔観察装置２００の先端２００−１のハウジング２１に内蔵可能である。
【００２６】
前記噴水器４０４は、前記口腔スケーラー１００と併せて使用可能である。
【００２７】
前記噴水器４０４から噴射される水ジェットの方向は、前記口腔スケーラー１００のスクレーパー１１の方向とほぼ一致することにより、掻爬しながら、掻爬された汚物を適時に洗い落すことができ、清掃効果の観察を容易にする。
【００２８】
本発明に係る可視口腔スケーラー９００は、口腔スケーラー１００と、口腔観察装置２００と、接続機構３００とを備える。前記口腔スケーラー１００は、前記接続機構３００を介して前記口腔観察装置２００に接続されており、前記口腔観察装置２００の観察システム２４の作用下で、直視状態で前記口腔スケーラー１００により歯又は舌体を掻爬して清掃するとともに、清掃効果をリアルタイムで観察することができ、清掃過程の画像および映像の記録を行うことができる。また、前記口腔観察装置２００には、前記噴水器４０４が設けられてもよく、前記噴水器４０４は、前記口腔スケーラー１００と併せて使用することにより、清掃によって除去された歯石、プラーク、舌苔等の汚物を適時にきれいに洗い落すことができ、使用過程がより快適で便利であり、効率が高い。
【図面の簡単な説明】
【００２９】
【図１】剛性材質で製造される、本発明に係る可視口腔スケーラーの斜視構造模式図である。
【図１−１】図１の分解図である。
【図１−２】図１のＡ−Ａ断面図である。
【図２】軟性材質で製造される、本発明に係る可視口腔スケーラーの斜視構造模式図である。
【図２−１】図２の分解図である。
【図３】本発明に係る可視口腔スケーラーが無線方式で表示装置に接続されている際の作動原理図である。
【図４】本発明に係る可視口腔スケーラーが有線方式で表示装置に接続されている際の作動原理図である。
【図５】噴水器を備える本発明に係る可視口腔スケーラーの斜視構造模式図である。
【図５−１】図５の分解図である。
【図５−２】図５のＢ−Ｂ断面図である。
【００３０】
上記の図面において、
符号１００は口腔スケーラー、符号２００は口腔観察装置、符号３００は接続機構、符号９００は本発明に係る可視口腔スケーラーである。
【００３１】
口腔スケーラーにおいて、
符号１１はスクレーパー、符号１２は着脱機構、符号１３はブラケットである。
符号１１−４はスクレーパーの湾曲部である。
符号１２−１は位置決めブロックである。
【００３２】
口腔観察装置において、
符号２１はハウジング、符号２２は電源システム、符号２３は照明システム、符号２４は観察システム、符号２５は回路システム、符号２６はスイッチである。
符号２１−１は口腔スケーラーに接続するための位置決めスロット、符号２１−２は口腔スケーラーを固定するための係止ブロックである。
符号２４−１は撮像システムである。
符号２４−１−１はカメラ、符号２４−１−２はデータ処理及び出力システム、符号２４−１−３は表示装置である。
符号２４−１−３１はスマートフォン、符号２４−１−３２はコンピュータ、符号２４−１−３３は液晶表示装置／テレビ、符号２４−１−３４はタブレットコンピュータである。
符号４０４は噴水器、符号４０４−１はスプレーヘッド、符号４０４−２は水タンク、符号４０４−３は水管、符号４０４−４は噴水スイッチ、符号４０４−５は加圧器、符号４０４−６は注水口である。
符号４０４−５１は電動加圧器、符号４０４−５２は加圧器スイッチである。
符号４０４−５１−１は電動空圧器、符号４０４−５１−１１は電動エアコンプレッサである。符号４０４−５１−１１１は吸気システム、符号４０４−５１−１１２はエアコンプレッサ、符号４０４−５１−１１３は空気注入管である。
【発明を実施するための形態】
【００３３】
実施例１：本発明に係る可視口腔スケーラー
図１〜図１−３に示すように、本実施例に係る可視口腔スケーラー９００は、口腔スケーラー１００と、口腔観察装置２００と、接続機構３００とを備える。
【００３４】
図１及び図１−１に示すように、口腔スケーラー１００は、スクレーパー１１と、着脱機構１２と、ブラケット１３とを備える。スクレーパー１１は、ブラケット１３の先端に設けられており、口腔スケーラー１００を口腔観察装置２００に取り付け又は口腔スケーラー１００を口腔観察装置２００から取り外すための着脱機構１２は、ブラケット１３に設けられている。
【００３５】
口腔観察装置２００は、ハウジング２１と、電源システム２２と、照明システム２３と、観察システム２４と、回路システム２５と、スイッチ２６とを備える。照明システム２３、観察システム２４、回路システム２５及び電源システム２２は、ハウジング２１内に取り付けられており、スイッチ２６は、ハウジング２１上に取り付けられている。照明システム２３と、観察システム２４と、電源システム２２と、スイッチ２６とは、回路システム２５を介して接続されている。
【００３６】
接続機構３００は、着脱機構１２を備え、口腔スケーラー１００は、接続機構３００を介して口腔観察装置２００に取り付けられている。
【００３７】
スクレーパー１１は、口腔観察装置２００の観察システム２４の視野内にあることにより、操作過程において、スクレーパー１１の作動位置が明瞭に見られることを確保し、予想外の傷害を効果的に回避することができる。
【００３８】
図１−３及び図２−１に示すように、口腔スケーラー１００のスクレーパー１１は、人体の口腔の要件に合う湾曲部１１−４を有することにより、歯又は舌体の清掃をより容易に実現することができる。
【００３９】
図１−１及び図１−３に示すように、本実施例において、着脱機構１２は、凹凸嵌合接続機構の位置決めブロック又は位置決めスロットである。着脱機構１２は、口腔観察装置２００に接続するためのＴ字形位置決めブロック１２−１である。
【００４０】
着脱機構１２は、さらにロックノブ接続機構のロックボルト又はロックキャッチ、締まり嵌め接続機構のスリーブ又は位置決めロッド、或いは回転調節接続機構のナット又はスクリューであってもよい。ここでは、出願人は、上記の幾つかの取り外し可能な接続方式のみを挙げたが、当業者は、本願の保護範囲から逸脱することなく、従来技術と組み合わせて、実際の必要に応じて異なる接続方式を設計することができる。
【００４１】
図１−１及び図２−１に示すように、本実施例において、接続機構３００は、取り外し可能な機械式接続機構であり、前記取り外し可能な機械式接続機構の一部を口腔スケーラー１００に配置し、他の部分を口腔観察装置２００に配置することによって形成される組み合わせ型機械式接続機構である。取り外し可能な接続方式により、口腔スケーラー１００の交換、清掃及び保管を極めて容易にすることができる。
【００４２】
なお、接続機構３００は、口腔スケーラー１００又は口腔観察装置２００に配置可能な独立の部材であってもよい。
【００４３】
本実施例において、前記機械式接続機構は、凹凸嵌合接続である。口腔観察装置２００のハウジング２１には、位置決めスロット２１−１及び係止ブロック２１−２が設けられており、口腔スケーラー１００の位置決めブロック１２−１は、位置決めスロット２１−１内に嵌め込み可能であり、係止ブロック２１−２は、口腔スケーラー１００のブラケット１３の後方へのスライドを阻止することが可能であり、位置決めブロック１２−１と、位置決めスロット２１−１と、係止ブロック２１−２との連係作用は、接続機構３００を構成する。
【００４４】
なお、機械式接続機構は、スライドスロット接続、ピン接続、キー接続、ねじ込み接続、ねじ接続、バックル接続、フック接続又は締まり嵌め接続であってもよい。ここでは、出願人は、上記の幾つかの接続方式のみを挙げたが、当業者は、本願の保護範囲から逸脱することなく、従来技術と組み合わせて、実際の必要に応じて異なる接続方式を設計することができる。
【００４５】
本実施例において、観察システム２４は、カメラ２４−１−１と、データ処理及び出力システム２４−１−２と、表示装置２４−１−３と、回路システム２５と、電源システム２２とを備える撮像システム２４−１である。
【００４６】
図３及び図４に示すように、撮像システム２４−１のデータ処理及び出力システム２４−１−２によって出力される映像データは、有線接続方式又は無線接続方式で表示装置２４−１−３に表示することが可能であり、表示装置２４−１−３は、スマートフォン２４−１−３１、コンピュータ２４−１−３２、液晶表示装置２４−１−３３、又はテレビ２４−１−３４を含む。
【００４７】
本実施例において、照明システム２３は、カメラ２４−１−１の近傍に設けられていることにより、カメラ２４−１−１に照明を直接に提供し、カメラ２４−１−１の撮影効果を改善することができる。照明を向上させるために、照明の輝度を調整するための追加のＬＥＤライトを口腔観察装置２００のハウジング２１における他の部位に設けてもよい。
【００４８】
口腔観察装置２００は、防水設計を採用していることにより、操作及び洗浄をより容易にする。
【００４９】
本発明に係る可視口腔スケーラーが舌苔、歯肉等の口腔内軟部組織の清掃に用いられる際に、スクレーパー１１は、清掃過程の快適性をよりよく確保するために、軟性材料で製造される。
【００５０】
本発明に係る可視口腔スケーラーが歯石、プラーク等の歯面部位の清掃に用いられる際に、スクレーパー１１は、ステンレス、チタン合金、ポリカーボネート（ＰＣ）などのような剛性材料で製造されることができ、具体的な必要に応じて異なる形状に設計され、相応する材質を選択して製造されることができる。
【００５１】
使用時に、口腔スケーラー１００を、接続機構３００を介して口腔観察装置２００に取り付け、口腔観察装置２００の照明システム２３及び観察システム２４を介して、直視状態で口腔スケーラー１００により歯面の歯石、プラーク又は色素沈着を清掃することができ、口腔スケーラー１００により舌背における舌苔を除去することもでき、また、口腔観察装置２００を介して清掃過程及び清掃効果をリアルタイムで観察し、清掃過程の画像および映像の記録を行うことができる。
【００５２】
実施例２：本発明に係る噴水器を備える可視口腔スケーラー
図５〜図５−２に示すように、本実施例と実施例１との相違は、本実施例において、口腔観察装置２００には、口腔に水を噴射して清掃可能な噴水器４０４がさらに設けられている点にある。
【００５３】
図５−２に示すように、噴水器４０４は、スプレーヘッド４０４−１と、水タンク４０４−２と、水管４０４−３と、噴水スイッチ４０４−４と、加圧器４０４−５とを備える。水タンク４０４−２及び加圧器４０４−５は、口腔観察装置２００のハウジング２１内に取り付けられており、スプレーヘッド４０４−１は、口腔観察装置２００の先端２００−１の観察システム２４の近傍に取り付けられている。
【００５４】
本実施例において、加圧器４０４−５は、電動加圧器４０４−５１である。電動加圧設計により、使用過程において、スイッチをオンにするだけで、水タンク４０４−２内の水の自動圧力上昇を実現できるので、使用過程がより便利になる。当然ながら、設計者は、本願の保護範囲から逸脱することなく、手動式加圧器を選択することもできる。
【００５５】
本実施例において、電動加圧器４０４−５１は、電動空圧器４０４−５１−１である。電動加圧器４０４−５１は、電動水圧器であってもよい。
【００５６】
本実施例において、電動空圧器４０４−５１−１は、エアコンプレッサ４０４−５１−１１である。
【００５７】
図５−２に示すように、電動エアコンプレッサ４０４−５１−１１は、吸気システム４０４−５１−１１１と、コンプレッサ４０４−５１−１１２と、空気注入管４０４−５１−１１３とを備える。
【００５８】
本実施例において、噴水器４０４のスプレーヘッド４０４−１は、口腔観察装置２００の先端２００−１のハウジング２１に内蔵可能である。このように、噴水器４０４を口腔スケーラー１００と併せて使用する必要がある場合、口腔スケーラー１００を口腔観察装置２００に容易に取り付けることができ、よって、水が内蔵するスプレーヘッド４０４−１から直接に噴射され、口腔スケーラー１００と併せて口腔を清掃する。
【００５９】
使用時に、口腔スケーラー１００を、接続機構３００を介して口腔観察装置２００に取り付け、口腔観察装置２００の照明システム２３及び観察システム２４を介して、直視状態で口腔スケーラー１００により歯面の歯石、プラーク又は色素沈着を清掃し、又は口腔スケーラー１００により舌背における舌苔を除去する。清掃過程において、清掃部位に水を噴射して洗浄する必要がある場合、加圧器スイッチ４０４−５２をオンにし、電動エアコンプレッサ４０４−５１−１１が水タンク４０４−２内を加圧し始め、加圧完了後、噴水スイッチ４０４−４をオンにし、水タンク４０４−２内の加圧された水は、水管４０４−３を通ってスプレーヘッド４０４−１から噴射され、洗浄を必要とする部位に水を噴射して洗浄し、掻爬された歯石、プラーク、舌苔汚物などを適時に洗い落し、清掃過程をより快適で便利にする。水タンク４０４−２内に水を補充する必要がある場合、水タンク４０４−２に設けられている注水口４０４−６を開けて水タンク内に水を補充することができる。
【００６０】
なお、本明細書で開示され、記載されている各構造は、同じ効果を有する他の構造に置き換えられてもよく、本明細書に記載の実施例は本発明を実現する唯一の構造ではないことに留意されたい。本明細書では本発明の好ましい実施例について紹介およびしたが、当業者にはこれらの実施例が例示して説明したものに過ぎないことがわかるであろう。当業者は、本発明から逸脱することなく多くの変更、改良および置換を行うことができる。したがって、本発明の保護範囲は、本発明の添付の特許請求の範囲の思想および範囲に従って規定されるべきである。
【図１】
2020536605.tif 000003
【図１−１】
2020536605.tif 000004
【図１−２】
2020536605.tif 000005
【図１−３】
2020536605.tif 000006
【図２】
2020536605.tif 000007
【図２−１】
2020536605.tif 000008
【図３】
2020536605.tif 000009
【図４】
2020536605.tif 000010
【図５】
2020536605.tif 000011
【図５−１】
2020536605.tif 000012
【図５−２】
2020536605.tif 000013
【国際調査報告】
2020536605.tif 000014
2020536605.tif 000015
2020536605.tif 000016
2020536605.tif 000017